(57)【要約】      （修正有）【課題】蓋がトレーから外れにくい蓋付きトレーを提供する。【解決手段】トレー１０の側面部１２，１４の上縁における区間αを、両隣の区間β，γよりも下方へ切り込んで形成し、トレー１０の側面部１２，１４の上縁における区間α，βの境界、及び区間α，γの境界に鋭角部１６を形成する。蓋２０の周縁部下面には、側面部１２〜１５の上縁を嵌め込むための略環状の嵌込溝２１を形成する。嵌込溝２１における区間α’は、両隣の区間β’，γ’よりも浅く形成し、区間α’，β’の境界、及び区間α’，γ’の境界には、それぞれ段差２２を形成して、鋭角部１６を掛止できるようにする。嵌込溝２１の区間β’，γ’における段差２２の近傍では、嵌込溝２１の底部側の幅を嵌込溝２１の開放側の幅よりも狭く形成し、鋭角部１６の先端を内外に位置決めできるようにする。【選択図】図１
2011098770.tif 000002
【特許請求の範囲】
【請求項１】
（ａ）板紙を折り曲げることにより薄板状の底面部と側面部とが形成され、上面が開放された形態とされた紙製のトレーと、
（ｂ）該トレーの上面に被せるための薄板状の樹脂製の蓋と、
で構成された蓋付きトレーであって、
前記トレーの側面部の上縁における少なくとも１つの区間αが、区間αの両隣の他の区間β，γよりも下方へ切り込んで形成されて、前記トレーの側面部の上縁における区間αと区間βとの境界、及び区間αと区間γとの境界にそれぞれ鋭角部が形成され、
前記蓋の周縁部下面には、前記トレーの側面部の上縁を略全周部に亘って嵌め込むための略環状の嵌込溝が形成され、
該嵌込溝における少なくとも１つの区間α’が、区間α’の両隣の他の区間β’，γ’よりも浅く形成されて、区間α’と区間β’との境界、及び区間α’と区間γ’との境界にそれぞれ段差が形成され、該段差に前記鋭角部を掛止できるようにされ、
前記嵌込溝の区間β’，γ’における少なくとも前記段差の近傍では、前記嵌込溝の底部側の幅が、前記嵌込溝の開放側の幅よりも狭く形成されて、前記鋭角部の先端を内外に位置決めできるようにしたことを特徴とする蓋付きトレー。
【請求項２】
薄板状の底面部及び側面部を有して上面が開放された形態とされたトレーの上面に被せて使用する薄板状のトレー用蓋であって、
該トレー用蓋の周縁部下面には、前記トレーの側面部の上縁を略全周部に亘って嵌め込むための略環状の嵌込溝が形成され、
該嵌込溝における少なくとも１つの区間α’は、区間α’の両隣の他の区間β’，γ’よりも浅く形成されて、区間α’と区間β’との境界、及び区間α’と区間γ’との境界にそれぞれ段差が形成されて、該段差に前記鋭角部を掛止できるようにされ、
前記嵌込溝の区間β’，γ’における少なくとも前記段差の近傍では、前記嵌込溝の底部側の幅が、前記嵌込溝の開放側の幅よりも狭く形成されたことを特徴とするトレー用蓋。
【発明の詳細な説明】
【技術分野】
【０００１】
本発明は、互いに嵌め合わせ可能なトレーと蓋とで構成された蓋付きトレーと、該蓋付きトレーの蓋として好適に採用することのできる容器用蓋とに関する。
【背景技術】
【０００２】
従来より、屋台などで、お好み焼きやたこ焼きなどの商品を入れる際、あるいはスーパーマーケットなどで惣菜などの商品を入れる際には、発泡ポリスチレンシート製のトレーと蓋とで構成された蓋付き容器が使用されていた。しかし、発泡ポリスチレンは、燃やすと高温になり焼却炉を傷めるという問題や、発煙量が多く公害の元になるという問題があったため、発泡ポリスチレンの消費量を如何に減らすかが課題となっている。このため、上記の商品を入れる際には、紙製のトレーを用いた蓋付き容器が使用されることも多くなってきている。
【０００３】
例えば、特許文献１には、底面部の四辺部から立ち上げられた側面部を外方へ膨出させた紙製の容器と、該紙製容器の開口に被嵌される樹脂製の蓋とからなる蓋付き容器が記載されている。特許文献１の蓋付き容器において、蓋の周縁部には、前記側面部の上縁を嵌合するための環状の嵌合溝が設けられている。また、特許文献１の蓋付き容器において、前記嵌合溝におけるコーナー部（各側面部の隣接部分を嵌合させる部分）には、側面部の上縁を押圧するためのリブを形成するとともに、前記嵌合溝における各側面部の上縁中央部を嵌合させる部分の外側には、側面部の上縁中央部を導き入れるための開口部分を設け、該開口部分へ側面部の上縁中央部を逃すことにより、前記リブによる側面部への押圧力を増大させるようにすることも記載されている。これにより、蓋が容器から外れにくくすることが可能になるとされている。
【０００４】
しかし、特許文献１の蓋付き容器は、上記のような工夫を施しているといっても、外方へ膨出しようとする紙製の容器の弾性力によってのみ、蓋が容器へ保持される構造のものであったため、それでも、蓋が容器から外れるおそれがあった。また、特許文献１の蓋付き容器は、容器における側面部の上縁を蓋における嵌合溝に嵌め込んだ際に手応えが無い構造のものであったため、側面部の上縁が嵌合溝に完全に嵌め込まれたかどうかが分かりにくいという欠点も合った。
【先行技術文献】
【特許文献】
【０００５】
【特許文献１】特開２００５−２４７４１３号公報（請求項１）
【発明の概要】
【発明が解決しようとする課題】
【０００６】
本発明は、上記課題を解決するためになされたものであり、トレーの側面部の上縁に蓋を嵌め込みやすいだけでなく、蓋をトレーに一旦嵌め込んだ後は、蓋がトレーから外れにくい蓋付きトレーを提供するものである。また、蓋をトレーに嵌め込む際に、「パチン」といった手応えを感じることができ、蓋が閉じられたことを認識することのできる蓋付きトレーを提供することも本発明の目的である。さらに、この蓋付きトレーを構成する蓋として好適に採用することのできるトレー用蓋を提供することも本発明の目的である。
【課題を解決するための手段】
【０００７】
上記課題は、
（ａ）板紙を折り曲げることにより薄板状の底面部と側面部とが形成され、上面が開放された形態とされた紙製のトレーと、
（ｂ）該トレーの上面に被せるための薄板状の樹脂製の蓋と、
で構成された蓋付きトレーであって、
前記トレーの側面部の上縁における少なくとも１つの区間αが、区間αの両隣の他の区間β，γよりも下方へ切り込んで形成されて、前記トレーの側面部の上縁における区間αと区間βとの境界、及び区間αと区間γとの境界にそれぞれ鋭角部が形成され、
前記蓋の周縁部下面には、前記トレーの側面部の上縁を略全周部に亘って嵌め込むための略環状の嵌込溝が形成され、
該嵌込溝における少なくとも１つの区間α’が、区間α’の両隣の他の区間β’，γ’よりも浅く形成されて、区間α’と区間β’との境界、及び区間α’と区間γ’との境界にそれぞれ段差が形成され、該段差に前記鋭角部を掛止できるようにされ、
前記嵌込溝の区間β’，γ’における少なくとも前記段差の近傍では、前記嵌込溝の底部側の幅が、前記嵌込溝の開放側の幅よりも狭く形成されて、前記鋭角部の先端を内外に位置決めできるようにしたことを特徴とする蓋付きトレー
を提供することによって解決される。
【０００８】
このように、蓋に設けられた嵌込溝の段差に、トレーに設けられた鋭角部を掛止させることができるようにするとともに、その鋭角部が嵌め込まれる嵌込溝の前記段差近傍を狭くしておくことにより、蓋がトレーから外れないようにすることも可能になる。すなわち、本発明の蓋付きトレーにおいて、トレーは、板紙を折り曲げて形成した形態のものであるため、上面が開放された箱形状を保持しながらも、その側面部が内側や外側に広がろうとするが、その側面部の上縁における鋭角部を嵌込溝の内部でしっかりと位置固定することができるようになる。
【０００９】
また、上記課題は、
薄板状の底面部及び側面部を有して上面が開放された形態とされたトレーの上面に被せて使用する薄板状のトレー用蓋であって、
該トレー用蓋の周縁部下面には、前記トレーの側面部の上縁を略全周部に亘って嵌め込むための略環状の嵌込溝が形成され、
該嵌込溝における少なくとも１つの区間α’は、区間α’の両隣の他の区間β’，γ’よりも浅く形成されて、区間α’と区間β’との境界、及び区間α’と区間γ’との境界にそれぞれ段差が形成されて、該段差に前記鋭角部を掛止できるようにされ、
前記嵌込溝の区間β’，γ’における少なくとも前記段差の近傍では、前記嵌込溝の底部側の幅が、前記嵌込溝の開放側の幅よりも狭く形成されたことを特徴とするトレー用蓋
を提供することによって解決される。このトレー用蓋は、上記の蓋付きトレーにおける蓋と同様のものである。
【発明の効果】
【００１０】
以上のように、本発明によって、トレーの側面部の上縁に蓋を嵌め込みやすいだけでなく、蓋をトレーに一旦嵌め込んだ後は、蓋がトレーから外れにくい蓋付きトレーを提供することが可能になる。また、蓋をトレーに嵌め込む際に、「パチン」といった手応えを感じることができ、蓋が閉じられたことを認識することのできる蓋付きトレーを提供することも可能になる。さらに、この蓋付きトレーを構成する蓋として好適に採用することのできるトレー用蓋を提供することも可能になる。
【図面の簡単な説明】
【００１１】
【図１】蓋とトレーとを分離した状態における本発明の蓋付きトレーを示した斜視図である。
【図２】蓋をトレーに嵌め込んだ状態における本発明の蓋付きトレーを示した斜視図である。
【図３】本発明の蓋付きトレーにおけるトレー用蓋（蓋）を示した斜視図である。
【図４】本発明の蓋付きトレーにおけるトレー用蓋（蓋）を示した平面図である。
【図５】本発明の蓋付きトレーにおけるトレー用蓋（蓋）の段差の周辺を拡大して示した平面図である。
【図６】本発明の蓋付きトレーにおけるトレー用蓋（蓋）の区間α’を拡大して示した平面図である。
【図７】本発明の蓋付きトレーにおけるトレー用蓋（蓋）を長手方向に沿って切断した状態を示した断面図である。
【図８】本発明の他の実施態様の蓋付きトレーを蓋とトレーとに分離した状態を示した斜視図である。
【図９】図８の蓋付きトレーにおけるトレー用蓋（蓋）を示した平面図である。
【図１０】図８の蓋付きトレーを積み重ねた状態を鉛直断面で切断した状態を示した断面図である。
【発明を実施するための形態】
【００１２】
本発明の蓋付きトレーの好適な実施態様について、図面を用いてより具体的に説明する。図１は、蓋２０とトレー１０とを分離した状態における本発明の蓋付きトレーを示した斜視図である。図２は、蓋２０をトレー１０に嵌め込んだ状態における本発明の蓋付きトレーを示した斜視図である。図３は、本発明の蓋付きトレーにおけるトレー用蓋（蓋）２０を示した斜視図である。図４は、本発明の蓋付きトレーにおけるトレー用蓋（蓋）２０を示した平面図である。図５は、本発明の蓋付きトレーにおけるトレー用蓋（蓋）２０の段差２２の周辺を拡大して示した平面図である。図６は、本発明の蓋付きトレーにおけるトレー用蓋（蓋）２０の区間α’を拡大して示した平面図である。図７は、本発明の蓋付きトレーにおけるトレー用蓋（蓋）２０を長手方向に沿って切断した状態を示した断面図である。
【００１３】
本実施態様の蓋付きトレーは、図１に示すように、食品などを載せるための紙製のトレー１０と、トレー１０の上面に被せるための樹脂製の薄板状の蓋２０とで構成されている。トレー１０は、１枚の板紙を折り曲げることにより底面部１１と側面部１２〜１５とを形成した箱状のものとなっており、その上面が開放された形態となっている。トレー１０の対向する一対の側面部１２，１４の上縁における中央の区間αは、区間αの両隣の他の区間β，γよりも下方へ切り込んで形成されている。本実施態様の蓋付きトレーにおいて、それぞれの切り込んだ部分は、上辺（上底）が下辺（下底）よりも短い略台形状となっている。このため、トレー１０の側面部１２，１４の上縁における区間αと区間βとの境界、及び区間αと区間γとの境界には、それぞれ鋭角部１６が形成されている。
【００１４】
一方、蓋２０の周縁部は、図７に示すように、蓋２０に垂直な断面において、上側へ凸となるように形成された部分（嵌込溝２１）が設けられている。この嵌込溝２１は、図３に示すように、蓋２０の略全周部に亘って設けられている。この嵌込溝２１には、図１と図２に示すように、トレー１０の側面部１２〜１５の上縁を略全周部に亘って嵌め込むことができるようになっている。この嵌込溝２１にトレー１０の側面部１２〜１５の上縁を嵌め込むと、図２に示すように、トレー１０と蓋２０とをしっかりと一体化することができる。
【００１５】
嵌込溝２１の一対の内側壁２１ａ，２１ｂは、図７に示すように、図断面視略「八」の字状に傾斜されて、嵌込溝２１の底部側の幅Ｗ１が嵌込溝２１の開放側の幅Ｗ２よりも狭く形成されている。このため、トレー１０の側面部１２〜１５の上縁を、蓋２０の嵌込溝２１へ嵌め込みやすくすることが可能となっている。嵌込溝２１における区間α’は、図１に示すように、区間α’の両隣の他の区間β’，γ’よりも浅く形成されている。このため、嵌込溝２１における区間α’と区間β’との境界、及び区間α’と区間γ’との境界には、それぞれ段差２２が形成されている。これらの段差２２には、それぞれトレー１０の鋭角部１６を掛止させることができるようになっている。蓋２０の上面における一対の段差２２の間の区間α’は、図１に示すように、区間α’の部分で下側に凹んだ状態となっている。蓋２０の上面におけるこの凹んだ部分には、蓋２０をトレー１０に止めるための封帯などを掛け回すこともできる。区間α’の長さは、蓋２０の寸法によっても異なるが、通常、１０〜１００ｍｍ、好ましくは、２０〜９０ｍｍ、より好ましくは、３０〜８０ｍｍとされる。
【００１６】
図３と図５に示すように、嵌込溝２１の区間β’，γ’における段差２２の近傍では、他の部分と比較して、嵌込溝２１の幅Ｗ１（図７を参照）が狭くなっている。このため、段差２２の近傍では、嵌込溝２１の開放（入口）側の幅Ｗ２（図７を参照）に対する嵌込溝２１の底部側の幅Ｗ１の比Ｗ１／Ｗ２が、区間β’及び区間γ’における他の部分よりも小さくなっている。本実施態様の蓋付きトレーにおいては、図３に示すように、嵌込溝２１の一対の外側壁における点Ｐ１，Ｐ２，Ｐ３で囲まれた領域と、点Ｑ１，Ｑ２，Ｑ３，Ｑ４で囲まれた領域とを嵌込溝２１の内部方向へ凹ませることにより、嵌込溝２１の区間β’，γ’における段差２２の近傍で比Ｗ１／Ｗ２が小さくなるようにしている。
【００１７】
また、本実施態様の蓋付きトレーにおいて、嵌込溝２１の２１ａ，２１ｂは、図７に示すように、嵌込溝２１の底部付近で略垂直となるようにしており、嵌込溝２１に嵌め込まれた側面部１２，１４（図１を参照）の上縁をより狭い幅で挟持して、側面部１２，１４の上縁を内外に位置決めできるようにしている。これにより、蓋２０をトレー１０からさらに外れにくくすることが可能になる。
【００１８】
区間β’，γ’における段差２２の近傍での嵌込溝２１の幅Ｗ１（図５を参照）を具体的にどの程度に設定するのかは、トレー１０の側面部１２〜１５の板厚Ｄ１（図５を参照）によっても異なり、特に限定されない。しかし、当該箇所における嵌込溝２１の幅Ｗ１を狭くしすぎると、トレー１０の鋭角部１６が潰れてしまい、段差２２に鋭角部１６がしっかりと掛止されなくなるおそれがある。また、蓋２０の成形金型における鋭角部１６を成形する部分の強度が保てなくなるおそれもある。このため、当該箇所における嵌込溝２１の幅Ｗ１は、通常、側面部１２〜１５の板厚Ｄ１の０．５倍よりも大きくされる。当該箇所における嵌込溝２１の幅Ｗ１は、板厚Ｄ１の０．８倍以上であると好ましく、１倍以上であるとより好ましい。
【００１９】
一方、区間β’，γ’における段差２２の近傍での嵌込溝２１の幅Ｗ１（図５を参照）を広くしすぎると、トレー１０から蓋２０が外れやすくなるおそれがある。このため、当該箇所における嵌込溝２１の幅Ｗ１は、通常、側面部１２〜１５の板厚Ｄ１の２倍よりも小さくされる。当該箇所における嵌込溝２１の幅Ｗ１は、板厚Ｄ１の１．７倍以下であると好ましく、１．５倍以下であるとより好ましい。トレー１０の側面部１２〜１５の板厚Ｄ１は、特に限定されないが、通常、０．１〜１ｍｍ、好ましくは、０．２〜０．７ｍｍ、より好ましくは、０．３〜０．５ｍｍとされる。
【００２０】
また、嵌込溝２１の区間β’，γ’の段差２２の近傍における比Ｗ１／Ｗ２や、その他の部分における比Ｗ１／Ｗ２をどの程度に設定するのかは、トレー１０の側面部１２〜１５の板厚Ｄ１（図５を参照）と、幅Ｗ１や幅Ｗ２との兼ね合いによっても異なり、特に限定されない。しかし、比Ｗ１／Ｗ２を大きくしすぎると（１に近づけすぎると）、嵌込溝２１にトレー１０の側面部１２〜１５を嵌め込みにくくなったり、トレー１０と蓋２０の嵌込強度が弱くなり、蓋２０がトレー１０から外れやすくなったりするおそれがある。このため、比Ｗ１／Ｗ２は、段差２２の近傍では、通常、０．７以下、それ以外の部分では、通常、０．９以下とされる。比Ｗ１／Ｗ２は、段差２２の近傍では、０．５以下であると好ましく、０．３以下であるとより好ましい。また、比Ｗ２／Ｗ１は、それ以外の部分では、０．７以下であると好ましく、０．５以下であるとより好ましい。
【００２１】
一方、比Ｗ２／Ｗ１の下限は、トレー１０の側面部１２〜１５の板厚Ｄ１（図５を参照）によっても異なり、特に限定されないが、通常、０．０１以上、好ましくは、０．０５以上とされる。この際、トレー１０と蓋２０との嵌込強度を考慮して、嵌込溝２１の底部の幅Ｗ２の最小値（本実施態様の蓋付きトレーにおいては、図３における線分Ｐ１Ｑ１の長さに略一致。）が、トレー１０の側面部１２〜１５の厚さに略一致するようにすると好ましい。本実施態様の蓋付きトレーにおいては、嵌込溝２１の区間β’，γ’における段差２２との境界部分で幅Ｗ２が最小となるようになっている。当該部分での幅Ｗ２は、約０．５ｍｍとなっており、トレー１０の側面部１２〜１５の厚さに略一致させている。このため、嵌込溝２１における段差２２に、トレー１０の鋭角部１６を掛止させた際に、「パチン」という感触を得ることができるようになっている。
【００２２】
ところで、本発明の蓋付きトレーにおけるトレー１０は、１枚の板紙を切り起こして形成したものであるため、各側面部１２〜１５には、外側へ倒れようとする力（板紙が折り曲げられていない元の状態に戻ろうとする弾性力）が働く。しかし、この力は、横幅の短い側面部１２，１４よりも、横幅の長い側面部１３，１５の方が大きいため、側面部１３，１５のみが外側に広がろうとし、残りの側面部１２，１４は、側面部１３，１５に追従（側面部１２，１４の側縁と側面部１３，１５の側縁は、互いに繋がっている。）して内側に起きようとする。このため、側面部１２，１４の上縁における区間αが嵌込溝２１の内部において遊ぶようなことがあると、側面部１２，１４の上縁が自然に嵌込溝２１の内側へと外れてしまうおそれもある。
【００２３】
このため、本実施態様の蓋付きトレーにおいては、図６に示すように、区間α’において嵌込溝２１の内側の側壁を外方へ凹ませており、区間α’における嵌込溝２１の幅Ｗ３が狭くなるようにしている。これにより、側面部１２，１４の上縁が内側に移動してこないように規制して、鋭角部１６が段差２２から外れるのを防止することが可能となっている。嵌込溝２１における区間α’における最小の幅Ｗ３（図６を参照）の具体的な値は、特に限定されないが、本実施態様の蓋付きトレーにおいては、約２．５ｍｍとなっている。
【００２４】
トレー１０における鋭角部１６の先端の角度は、鋭角（９０°未満）であれば特に限定されない。しかし、この角度を小さくしすぎると、鋭角部１６が曲がりやすくなって嵌込溝２１の段差２２にしっかりと掛止されなくなるばかりか、鋭角部１６が千切れたり破損したりするおそれがある。このため、鋭角部１６の先端の角度は、通常、３０°以上とされる。鋭角部１６の先端の角度は、４５°以上であると好ましく、６０°以上であるとより好ましい。一方、鋭角部１６の先端の角度を大きくしすぎると（９０°に近づけすぎると）、鋭角部１６が段差２２から脱落しやすくなるおそれがある。このため、鋭角部１６の先端の角度は、通常、８５°以下とされる。鋭角部１６の先端の角度は、８０°以下であると好ましい。
【００２５】
その他、本実施態様の蓋付きトレーには、様々な工夫が施されている。例えば、図３に示すように、蓋２０の外周縁における外面には、補強のための複数本のリブが設けられている。蓋２０には、その外周縁の外面以外にも随所に、補強のためのリブや段差が設けられており、蓋２０として必要な強度を発揮できるようになっている。さらに、蓋２０の上面には、内容物から発生した水蒸気などを外部へ放出する開口部をもうけるための爪が設けられている。この爪を起こすことにより、蓋２０の上面に開口部を設けることができる。
【００２６】
トレー１０の素材は、蓋付きトレーの用途などによっても異なり、特に限定されないが、通常、ボール紙などの板紙を折り曲げることによって形成される。蓋２０の素材も、特に限定されないが、通常、樹脂とされる。具体的には、ポリエチレンテレフタレート（ＰＥＴ）や、ポリプロピレン(ＰＰ)や、ポリエチレン(ＰＥ)などの合成樹脂が例示される。中でも、蓋２０の形態や再生利用などを考慮すると、ポリエチレンテレフタレートを採用すると好ましい。本実施態様の蓋付きトレーにおいても、蓋２０は、ポリエチレンテレフタレートからなる樹脂シートを真空成形により形成したものとなっている。蓋２０の色は、蓋付きトレーの用途などによっても異なるが、通常、透明とされる。
【００２７】
本発明の蓋付きトレーの他の実施態様について説明する。図８は、本発明の他の実施態様の蓋付きトレーを蓋２０とトレー１０とに分離した状態を示した斜視図である。図９は、図８の蓋付きトレーにおけるトレー用蓋（蓋）２０を示した平面図である。図１０は、図８の蓋付きトレーを積み重ねた状態を鉛直断面で切断した状態を示した断面図である。図１〜８の蓋付きトレーでは、蓋２０やトレー１０が平面視略矩形とされ、その短辺に相当する部分にのみ、段差２２及び鋭角部１６を設けていたのに対して、図８〜１０に示す蓋付きトレーでは、蓋２０やトレー１０が平面視略正方形とされ、全ての辺（四辺）に相当する部分に、段差２２及び鋭角部１６を設けている。このように、段差２２や鋭角部１６を設ける箇所は、特に限定されず、蓋付きトレーの形態に応じて適宜変更することができる。
【００２８】
また、この他の実施態様の蓋付きトレーは、蓋２０の上面中央部が、蓋２０の上面周縁部よりも低く形成されている。このため、複数の蓋付きトレーを上下方向に積み重ねた際には、図１０に示すように、下側の蓋付きトレーにおける蓋２０の上面中央部で、上側の蓋付きトレーにおけるトレー１０の底面部１１を安定性良く載せることができるようになっている。すなわち、上側に載せられた蓋付きトレーの位置が水平方向にずれしたとしても、下側の蓋付き容器の蓋１０における高く突き出た周縁部で受け止めることができるようになっている。
【００２９】
本発明の蓋付きトレーの用途は、特に限定されないが、食品を入れる容器として使用すると好ましい。なかでも、お好み焼き、たこ焼き、焼きそば、焼きうどん、焼き鳥、炒飯、フランクフルト、フライドポテトなど、屋台系の料理を入れる容器として好適である。また、惣菜、納豆、菓子などの食品を入れる容器としても好適である。本発明の蓋付きトレーに、揚げ物などを入れる場合には、トレー２０の内底部に油取り紙などを敷いてもよいし、水分を多く含むものを入れる場合には、非透水性の樹脂フィルムなどを敷いてもよい。
【符号の説明】
【００３０】
１０    トレー
１１    底面部
１２    側面部
１３    側面部
１４    側面部
１５    側面部
１６    鋭角部
２０    トレー用蓋（蓋）
２１    嵌込溝
２１ａ  内側壁
２１ｂ  内側壁
２２    段差
α    トレーにおける所定の区間
α’  蓋における所定の区間
β    トレーにおける所定の区間αの一端部に隣接する他の区間
β’  蓋における所定の区間αの一端部に隣接する他の区間
γ    トレーにおける所定の区間αの他端部に隣接する他の区間
γ’  蓋における所定の区間αの他端部に隣接する他の区間
【図１】
2011098770.tif 000003
【図２】
2011098770.tif 000004
【図３】
2011098770.tif 000005
【図４】
2011098770.tif 000006
【図５】
2011098770.tif 000007
【図６】
2011098770.tif 000008
【図７】
2011098770.tif 000009
【図８】
2011098770.tif 000010
【図９】
2011098770.tif 000011
【図１０】
2011098770.tif 000012
【手続補正書】
【提出日】平成21年11月11日(2009.11.11)
【手続補正１】
【補正対象書類名】図面
【補正対象項目名】図５
【補正方法】変更
【補正の内容】
【図５】
2011098770.tif 000013
【手続補正２】
【補正対象書類名】図面
【補正対象項目名】図８
【補正方法】変更
【補正の内容】
【図８】
2011098770.tif 000014